(57)【要約】【課題】  リボン片による独特な立体感を簡単且つ確実に表現でき、しかもその固定作業は、リボン片の位置や若干の形状変更を可能に行うことができ、さらに固定時の汚れの生じることのないリボン片装飾板を提供する。【解決手段】  強磁性体製の表示基板５と、一つ以上の薄帯状のリボン片２と、少なくとも底面に磁石３ｂ，３ｂ，4ｂ，４ｂ等による磁気吸着力を備えた有磁力部材３，４とからなり、リボン片２は、有磁力部材３，４の側面間に介在させて、その側面同士の圧接あるいは磁気吸着によって挟着保持させた状態で、有磁力部材３，４の底面を表示基板５に磁気吸着させることにより、表示基板５の任意の位置へ立体的に表示できる。尚、リボン片にはカールや折り曲げ等の加工が施されるとよく、リボン片以外の素材も適用できる。さらに、表示基板を磁石製、有磁力部材を強磁性体製として実施することもできる。【選択図】  図１
2009018574.tif 000002
【特許請求の範囲】
【請求項１】
強磁性体製の表示基板と、一つ以上の薄帯状のリボン片と、少なくとも底面に磁気吸着力を備えた複数の有磁力部材とからなり、上記リボン片は、上記複数の有磁力部材の側面間に介在させて、該有磁力部材の側面同士の圧接あるいは磁気吸着によって挟着保持させた状態で、該有磁力部材の底面を上記表示基板に磁気吸着させることにより、該表示基板の任意の位置へ立体的に表示されることを特徴とするリボン片装飾板
【請求項２】
リボン片は、長さ方向にカール或いは折り曲げ加工が施されているものを使用することを特徴とする請求項１に記載のリボン片装飾板
【請求項３】
リボン片を介在させる二つの有磁力部材の側面のうち、少なくとも片方の有磁力部材の側面にはリボン片収納溝が形成されており、該二つの有磁力部材の側面同士を圧接あるいは磁気吸着させた時に上記リボン片収納溝の開放面が閉鎖されてできるリボン片収納空間内へ、リボン片を介在させて保持することを特徴とする請求項１または２に記載のリボン片装飾板
【請求項４】
リボン片収納空間には、紐状部材や植物の茎等の棒状部材を挿入して使用することができることを特徴とする請求項３に記載のリボン片装飾板
【請求項５】
リボン片を介在させることができる二つの有磁力部材のうち、少なくとも片方の有磁力部材の側面には長手方向に沿ってＶ字状の切り欠きが形成されており、該Ｖ字状の切り欠き内に収まりきらない大きさの柱状素材の側面を、該片方の有磁力部材の側面に形成されたＶ字状の切り欠きで支持した状態で、反支持方向の側面を他方の有磁力部材における平面状の側面あるいはそこに形成されたＶ字状の切り欠きで圧接して保持することを特徴とする請求項１〜４のいずれかに記載のリボン片装飾板
【請求項６】
リボン片に替えて薄板状の各種素材の使用を可能としたことを特徴とする請求項１〜５のいずれかに記載のリボン片装飾板
【請求項７】
有磁力部材は、装飾用部材として用いられることを特徴とする請求項１〜６のいずれかに記載のリボン片装飾板
【請求項８】
請求項１〜７に記載の強磁性体製の表示基板、並びに、少なくとも底面に磁気吸着力を備えた複数の有磁力部材は、それぞれ、磁石製の表示基板、並びに、少なくとも底面が磁気吸着する強磁性体を備えた複数の強磁性体使用部材に、置き換えて使用することを特徴とするリボン片装飾板
【請求項９】
強磁性体製の表示基板と、少なくとも薄帯状のリボン片作製用の一つ以上のテープ部材と、該リボン片を側面同士で圧着あるいは磁気吸着によって挟着保持させ、かつ、上記強磁性体製の表示基板に底面を磁気吸着させることのできる複数の有磁力部材と、リボン片装飾板の作製マニュアルとで構成したことを特徴とするリボン片装飾板作製用キット
【発明の詳細な説明】
【技術分野】
【０００１】
本発明は、リボン片を使って立体的な表現をするリボン片装飾板、詳しくは、磁気吸着力を活用して表現することができるリボン片装飾板、並びにそれを作製するためのリボン片装飾板作製用キットに関するものである。
【背景技術】
【０００２】
リボン片使用によるディスプレーについては、下記の特許文献１による技術が知られており、この技術によれば、長さ方向にカールされ、あるいは折り曲げられて任意の形状に形成されたリボン片は、接着剤にて台紙に固定することができる。
【０００３】
また、リボン片による任意の形状の形成や接着には熟練を要するため、それを改良する技術として、下記の特許文献２に開示されるように、裏面に両面テープを貼着した状態で図柄の切れ込みを入れた型抜きボードを使い、そこに可撓性のある帯材（リボン片）を押し込んで所定形状を形成し、その形態を維持した状態で、裏面に設けた両面テープにて基板に接着させる帯材装飾板（リボン片装飾板）の製造方法についても公知となっている。
ちなみに、この技術においては、型抜きボードは、帯材（リボン片）の外側の残部は取り去られ、帯材（リボン片）の内側部分は残留させて着色が施されることになる。
【０００４】
いずれにしても、これらの技術は、リボン片を台紙や基盤に接着剤や粘着剤にて取り付けるものとなっているが、その一方で、下記に示す特許文献３のように、植物の花、葉、枝、実及び花器の印刷が施されて、それぞれの形状に切り抜かれたマグネットシート片を、鉄製ボードに磁気吸着させるフラワーアレンジメントなる装飾板の技術も公知となっている。
【０００５】
【特許文献１】特開２００３−７６２８４
【特許文献２】特開２００３−２０５６９９
【特許文献３】実用新案登録第３０６５７３２号
【発明の開示】
【発明が解決しようとする課題】
【０００６】
しかしながら、特許文献１による技術においては、リボン片を所定の形状に形成する際にリボン片がカール状であると形状が安定しにくく、さらに所定の形状を保って接着剤にて台紙に固定する作業は熟練を要するものであり、一般の使用者にとっては作業が困難であるという不都合を生じるものであった。
また、接着剤は当然にリボン片から、はみ出すものであり、その部分に異物付着等の汚れが生じ易いという不都合も予想されるものであった。
【０００７】
また、特許文献２による技術においては、リボン片を安定した形状に形成できる利点はあるものの、形成する作業自体は手間のかかる不都合があると共に、リボン片の内側の部分には型抜きボードが残留する技術であるため、リボン片のみによる立体感は出せないものとなっていた。
さらに、この技術においては、最終的には取り去ってしまうところの型抜きボードの残部が必要というロスコストが生じ、両面テープも大面積、型抜きボードには図柄の切り込み作業が必要など等、総じて高額コストが必要という不都合が予想されるものであった。
【０００８】
なお、これらの特許文献１並びに特許文献２におけるリボン片は台紙等に接着剤や粘着剤にて固定されるため、その直後或いはある程度の期間が経過後にリボン片の位置や若干の形状変更をしたいと思っても行うことができないという、表現の自由度が規制されるものとなっており、潜在的な不満足感も備えるものであったものと思料される。
【０００９】
一方、特許文献３による技術においては、装飾に用いられる各部材がマグネットシートで形成されているので、特許文献１や特許文献２のような作業上の不都合は起こらないものの平坦で単調であり、立体感のある装飾は期待できないものとなっていた。
【００１０】
そこで、本発明は、これらの従来技術における不都合を解消すべく、リボン片による独特な立体感を簡単且つ確実に表現でき、しかもその固定作業は、リボン片の位置や若干の形状変更が可能に行うことができ、さらに、固定時の汚れも生じることが無い、新規な装飾板の表現技術を提供することを課題とする。
【課題を解決するための手段】
【００１１】
本発明は、これらの従来の不都合を検討した結果、リボン片を接着や粘着以外の手段で固定することができれば解消される可能性があることを見出したことにより創作された技術であって、具体的には、強磁性体製の表示基板と、一つ以上の薄帯状のリボン片と、少なくとも底面に磁気吸着力を備えた複数の有磁力部材とからなり、そのリボン片は、複数の有磁力部材の側面間に介在させて、有磁力部材の側面同士の圧接あるいは磁気吸着によって挟着保持させた状態で、この有磁力部材の底面を表示基板に磁気吸着させることにより、この表示基板の任意の位置へ立体的に表示される構成とすることにより実現することができる。
【００１２】
この構成によれば、リボン片の保持並びにリボン片の表示基板への固定は有磁力部材を磁気吸着させることにより実現できるため、熟練度を必要とせず簡単且つ確実に行うことができる。
また、磁気吸着による取り付けであるため、接着のような完全固定とは異なり、一旦リボン片を取り付けた後であっても、有磁力部材は移動させることができ、さらに、取り付けた時に形跡を残したり汚れを生じさせることもないという利点がある。
【００１３】
なお、リボン片は、長さ方向にカール或いは折り曲げ加工が施されているものを使用すると装飾性が高いリボン片装飾板に仕上げることができる。
【００１４】
また、リボン片を介在させる二つの有磁力部材の側面のうち、少なくとも片方の有磁力部材の側面にはリボン片収納溝が形成されており、この二つの有磁力部材の側面同士を圧接あるいは磁気吸着させた時にリボン片収納溝の開放面が閉鎖されてできるリボン片収納空間内へ、リボン片を介在させて保持するようにしてもよい。
この構成とすれば、リボン片の一部がリボン収納空間内に完全に収納されるので、保持する長さが短かかったり、屈曲位置等に好適に使用できる。
なお、このリボン片収納空間は、紐状部材や植物の茎等の棒状部材を挿入して使用することができるように形成すると、より変化に富んだ装飾を施すことができる。
【００１５】
また、リボン片を介在させることができる二つの有磁力部材のうち、少なくとも片方の有磁力部材の側面には長手方向に沿ってＶ字状の切り欠きが形成されており、このＶ字状の切り欠き内に収まりきらない大きさの柱状素材の側面を、片方の有磁力部材の側面に形成されたＶ字状の切り欠きで支持した状態で、反支持方向の側面を他方の有磁力部材における平面状の側面あるいはそこに形成されたＶ字状の切り欠きで圧接して保持する構成としても良い。
この場合においてもは、有磁力部材間に大きな面積の部材を挟みこめるので、変化に富んだ装飾を施すことができることになる。
【００１６】
なお、装飾性を高めるために、リボン片に替えて薄板状の各種素材の使用をすることも好ましい。
さらに、有磁力部材は、リボン片の固定用に留めることなく、装飾用部材として用いることも当然に可能である。
【００１７】
なお、これらに使用された強磁性体製の表示基板と、複数の有磁力部材とは、磁気吸着する作用が起これば目的を達するものであるので、その作用が生じるのであれば、それぞれの材料を置換するようにしてもよい。
即ち、強磁性体製の表示基板、並びに、少なくとも底面に磁気吸着力を備えた複数の有磁力部材は、それぞれ、磁石製の表示基板、並びに、少なくとも底面が磁気吸着する強磁性体を備えた複数の強磁性体使用部材に、置き換えて使用することもできる。
【００１８】
さらに、強磁性体製の表示基板と、少なくとも薄帯状のリボン片作製用の一つ以上のテープ部材と、このリボン片を側面同士で圧着あるいは磁気吸着によって挟着保持させ、かつ、強磁性体製の表示基板に底面を磁気吸着させることのできる複数の有磁力部材と、リボン片装飾板の作製マニュアルからなるリボン片装飾板作製用キットとすれば、容易にリボン片装飾板を作製することができるので好適である。
【発明の効果】
【００１９】
本発明によれば、リボン片を複数の有磁力部材同士、あるいは、強磁性体使用部材同士の間に介在させて挟着保持した状態で表示基板に磁気吸着にて取り付けるだけでよいので、その作業は簡単で、且つ、確実に行うことができる。
また、接着剤の食み出しのような固定部材による汚れが生じることは無い。
さらに、リボン片による独特な立体的な表現と、自由な形態の有磁力部材や強磁性体使用部材を組み合わせることにより、装飾性の高い装飾板に仕上げることができる上に、この有磁力部材や強磁性体使用部材は完全固定とはならないため、一旦取り付けた後でも移動させることが可能なために部材の配置や表現状態を変更することもできるので、従来には無い、新規で、創作性の高い装飾を表現することができる。
【発明を実施するための最良の形態】
【００２０】
本発明は、薄帯状のリボン片を、複数の有磁力部材の側面間に介在させて、この有磁力部材の側面同士の磁気吸着あるいは圧接によって挟着保持させた状態で、有磁力部材の底面を表示基板に磁気吸着させることにより、表示基板の任意の位置へ立体的に表示することができる構成を基本とするものであり、以下実施例に沿って具体的に説明する。
【実施例１】
【００２１】
図１は、本発明の実施例１を表わしたものであり、図１（ａ）の斜視図、図１（ｂ）の正面図、図１（ｃ）のＡ−Ｂ断面図に示されるように、リボン片装飾板１は、リボン片２、有磁力部材３、有磁力部材４、表示基板５にて構成されている。
【００２２】
リボン片２は、図２（ａ）の斜視図に示すテープ部材６をカットしたり、あるいは図示しない平板部材から切り出して、図２（ｂ）のような薄帯状となったものを使用する。
なお、厚みや幅等の寸法は後述する立体加工が可能な範疇で適宜に選択し決定される。
また、図２（ｃ）に示すように、周囲や平面部に、切り欠き８ａ，８ａ．．．や、切り込み８ｂ，８ｂ．．．、孔８ｃ，８ｃ．．．、等を施した態様のリボン片２’としてもよい。
そして、その材料は主に紙製の素材を使用するが、それ以外にも、プラスチックシート、アルミニウム等の金属箔や金属板、布、皮等、彩色が豊かで装飾性に富んだ適宜の材料を使用することができる。
【００２３】
なお、本発明によるリボン片は、後述するように有磁力部材３、有磁力部材４によってリボン片の厚さ方向の挟持ができれば表示基板５に取り付けることができるので、それさえできれば、接着剤方式等とは異なり、材料は制限されないという特長を有している。
【００２４】
また、リボン片は後で述べるように、それ自体で立体的な表現をすることが多いので、その場合は、折り曲げやカール等の加工がしやすく、しかもその加工形状を保てるような腰のある素材とすることが好ましいものとなる。
【００２５】
そして、腰のあるリボン片には、各種の立体的な加工を簡単に施すことができる。
図３（ａ）〜（ｆ）は、その一例を示したものである。
即ち、カールさせたり、硬く巻き込む加工は、クイリングという手工芸の技法が知られており、その技術を用いて加工すれば、図３（ａ）のように両端を軽くカールしたリボン片２ａ、図３（ｂ）のように両端を硬く巻き込んだリボン片２ｂ、図３（ｃ）のように略同一径に螺旋状に巻き込んだリボン片２ｃ、図３（ｄ）のように径が変化する螺旋状に巻き込んだリボン片２ｄのように、各種の巻き込んだ形態に仕上げることができる。
なお、図１に示したリボン片２は、図３（ｂ）のリボン片２ｂが実使用で若干変形した態様を示したものである。
【００２６】
また、単に曲げる加工も簡単に行うことができるので、図３（ｅ）のように波状に折り曲げ加工したリボン片２ｅ、図３（ｆ）のように直角的な曲げ加工や折り畳み９を施したリボン片２ｆのような形態で実施することもできる。
【００２７】
さらに、前述の図２（ｃ）に示したリボン片２’のように、周囲や平面部に、切り欠きや、切り込み、孔加工等を施した態様のリボン片に、これらの立体的な加工を施すことも容易である。
従って、ここに各種の素材や色柄の変化が加わると、その態様は無制限に変化させることができるので、リボン片は、独創的な立体、草花等の模擬的な立体等を表現する装飾部材として、多いに活用することができる。
【００２８】
有磁力部材３、及び、有磁力部材４は、リボン片を厚み方向で保持した状態で、強磁性体製の表示基板５に対して、磁気吸着にて取り付ける役目の部材である。
但し、この部材は装飾部材の一部として活用することも可能であり、形状もリボン片の保持部分さえ平面状に確保できれば、他は自由な形状とすることができるので、リボン片の可憐で繊細な印象に加え、重厚な表現も合わせて表現させることができる。
なお、本実施例においては、有磁力部材３は直方体、有磁力部材４は低い直角三角形柱のような形態としている。
【００２９】
図４は、有磁力部材３を表わしたものであり、（ａ）は正面から見た斜視図、（ｂ）は裏面から見た斜視図、（ｃ）はＣ−Ｄ断面図を示している。
また、図５は、有磁力部材４を表わしたものであり、（ａ）は正面から見た斜視図、（ｂ）は裏面から見た斜視図、（ｃ）はＥ−Ｆ断面図を示している。
これらの図に示されるように、有磁力部材３は、有磁力部材本体３ａとその裏面に取り付けられた磁石３ｂ，３ｂとで構成され、有磁力部材４は、有磁力部材本体４ａとその裏面に取り付けられた磁石４ｂ，４ｂとで構成されている。
そして、各有磁力部材本体３ａ，４ａは木材やプラスチック等適宜の材料を使用し、各磁石３ｂ，３ｂ，４ｂ，４ｂは磁力の強いネオジ磁石が用いられていて、両者は接着にて固定されている。
なお、各磁石は、ネオジ磁石に限らず、板状の焼結磁石、樹脂製シート状磁石等適宜の磁石でよいことはいうまでも無いことである。
さらに、有磁力部材３、及び、有磁力部材４は、それ自体を磁石製として実施しても良い。
【００３０】
表示基板５は、装飾板としての最下層の装飾を表現すると共に、有磁力部材３，４を磁気吸着させるための部材として使われるものであり、材料は鉄板等の強磁性体製となっている。
なお、その形態は、平板状で、長方形のものを開示しているが、これに限らず有磁力部材が磁気吸着可能な範囲で湾曲させても良いし、外形も任意の形状でよい。
また、建造物や器物の壁面そのもの、あるいは一部が強磁性体製となっておれば、それらを表示基板として扱っても良いし、図示しない額縁内に収容できるようにしても良く、額縁における裏板と兼用して使用しても良い。
【００３１】
次に、本実施例におけるリボン片装飾板の作製手順について、図６を用いて説明する。
図６（ａ）の分解斜視図に示すように、本実施例におけるリボン片は、図３（ｂ）に示されるリボン片２ｂを使用しており、その両端は硬く巻き込まれていて、上面で巻き込み面２ｂａ，２ｂｂ同士が弾性的に接触した状態になっている。
この状態から、リボン片２ｂの両側からの巻き込み面２ｂａ，２ｂｂの接触面に、直方体の有磁力部材３を差し込むみと、巻き込み面２ｂａ，２ｂｂ間は強制的に押し広げられ、有磁力部材３の側面３ｃが、リボン片２ｂにおける中間部分の片面に接触する。
次に、この位置におけるリボン片２ｂの板厚部分を介在させるように、低い直角三角形柱でなる有磁力部材４の最長辺でなる側面４ｃをリボン片２ｂの他面に接触させて中間ユニット７を形成する。なお、押し広げられ変形したリボン片については、以下、リボン片２として表現するものとする。（図６（ｂ）参照）
【００３２】
そして、中間ユニット７における、有磁力部材３と有磁力部材４とを挟み込むように保持、即ち、リボン片２を挟持した状態で有磁力部材３と有磁力部材４とにおける裏面を表示基板５に近接すると、有磁力部材３と有磁力部材４とは、それぞれに設けられた各磁石３ｂ，３ｂ，４ｂ，４ｂが磁気吸着作用を起こすことにより、図１（ａ）の斜視図のように表示基板５に磁気吸着力で取り付けられる。
この時、リボン片２の中間部分は、有磁力部材３と有磁力部材４とで挟持された状態となっているので、その状態が維持されて、図１（ｂ）の正面図におけるＡ−Ｂ断面図を表わした図１（ｃ）のように、リボン片２も表示基板５上に確実に取り付けられることになる。
【００３３】
なお、リボン片装飾板の作製手順は、上記に手順に限られるものではなく、例えば有磁力部材４を最初に表示基板５に磁気吸着にて取り付け、次いで、その上方に位置する側面４ａ上にリボン片２ｂを載置し、さらにリボン片２ｂの上面で巻き込み面２ｂａ，２ｂｂの接触面を押し開くように有磁力部材３を差し込んで、リボン片２ｂの中間部分を有磁力部材４とで挟持し、その状態で、有磁力部材３を表示基板５に磁気吸着にて取り付けてもよい。
【００３４】
そして、ここまでの作業で、一応、リボン片装飾板が完成するが、本願発明においては、各部材の配置に不満があったり、微調整したい場合には、有磁力部材３，有磁力部材４を、磁気吸着力に抗して取り外し、再度磁気吸着で変更位置に取り付けたり、ずらすことができるので、従来の接着剤による取り付けとは比較にならないほど、満足のいく表現が可能となる。
【００３５】
図７は、本実施例と同一の中間ユニット７と表示基板５とを使い、この中間ユニット７の配置を各種に変更した時に表現される装飾状況の正面図を表わしたものである。
即ち、図７（ａ）は、本実施例でこれまで説明した装飾状態、図７（ｂ）は配置を反時計回りに４５度回転した状態、図７（ｃ）は配置を時計回りに９０度回転した状態、図７（ｄ）は配置を１８０度回転した状態とし、それぞれ位置も若干ずらしたものである。
これらの図に表わされるように、同じ中間ユニット７を使っていながら、配置の違いだけで、異なった印象の装飾を施すことができる。
【００３６】
なお、この時リボン片の両端部は自重で変形を起こしやすくなるので、その点の印象も異なったものとなる
さらに、図示はしないが、有磁力部材同士の配置の位置をずらすことも可能である。
従って、本願発明においては、使用者の好みに応じた装飾の位置に変更したり調整することが簡単にできると共に、その変更時期についても限られること無く、何時でも行えるという利点がある。
【実施例２】
【００３７】
図８〜図１０は、本発明の実施例２のリボン片装飾板１１を示したものである。
即ち、図８は有磁力部材１３の斜視図を表わし（ａ）は正面から見た状態、（ｂ）は裏面から見た状態を表わしている。
また、図９は有磁力部材１４の斜視図を表わし（ａ）は正面から見た状態、（ｂ）は裏面から見た状態を表わしている。
さらに、図１０は、リボン片１２を挟着保持した有磁力部材１３と有磁力部材１４とで構成される中間ユニット１７を、表示基板１５に磁気吸着で取り付けた状態を表わしたものであり、（ａ）は斜視図、（ｂ）はＧ−Ｈ断面図を示している。
【００３８】
この実施例は、有磁力部材１３並びに有磁力部材１４における磁石の配置が、実施例１と異なっており、磁石は正面以外の周囲の各面及び裏面に設けられることを特徴としている。
即ち、実施例１においては、リボン片を複数の有磁力部材の間に介在させ、手の指による挟持をした状態で表示基板に磁気吸着させていたが、本実施例においては、リボン片１２は、有磁力部材１３の側面に設けた磁石１３ｂ５と、有磁力部材１４の側面に設けた磁石１４ｂ１とが磁気吸着する間に介在する構成となっている。
また、それ以外の側面同士も磁気吸着が可能である。
従って、磁石部材が多くなるために実施例１よりコスト的に高額が予想されるものの、使用者自身が有磁力部材同士を挟持する必要がなくなるため、リボン片の固定の確実性は向上することになる。
【００３９】
なお、本実施例において、有磁力部材１３の各磁石であるところの１３ｂ１，１３ｂ２，１３ｂ３，１３ｂ４，１３ｂ５、並びに、有磁力部材１４の各磁石であるところの１４ｂ１，１４ｂ２，１４ｂ３，１４ｂ４は、板状の磁石を用いて、それぞれ有磁力部材本体１３ａ，１４ａに接着にて取り付けられているが、磁石の形態はこれに限らず実施することができる。但し、裏面側を除く各側面は、他の有磁力部材との磁気吸着が正常に行えるような配置の考慮は必要となる。
【００４０】
本発明における複数の有磁力部材間に挟着保持できる素材は、リボン片に限らず適宜の形状や材料のもの、さらには植物や木の葉等の自然物も対象とすることができる。
但し、寸法や質感の安定したリボン片とは異なり、外れ易いという不安定要素が考えられるため、これらリボン片以外の材料にはそれに適した形状の有磁力部材を採用するのが好ましい。
以下は、そのような用途を目的とした実施例である。
但し、リボン片用としても使用できることは言うまでもないことである。
【実施例３】
【００４１】
図１１は、本発明の実施例３を表わしたものである。
この実施例は、固定する素材の保持力の向上を目的としたものであり、図３（ａ）の斜視図及び図３（ｂ）の中央断面図に示されるように、有磁力部材２４の側面は鋭角部２８が形成され、その側面に対応するところの有磁力部材２３の側面は、１８０度の角度から鋭角部の角度を差し引いた角度でなる鈍角部２９が形成されているので、有磁力部材２３，２４を表示基板２５に磁気吸着にて取り付けた時に、その間に挟持される薄板素材２１は上向きに傾斜して保持されることになり、水平に挟持される場合より外れにくいものとなる。
従って、取り付ける素材の保持代が少ないような場合に採用するのが好ましい。
なお、図３（ｂ）における２３ｂ，２４ｂは磁石を示しているが、この形態に限らず実施することは当然に可能である。
【００４２】
また、有磁力部材は、図１１（ｃ）の変形例に示すように、側面に合計の角度が１８０度となるような角度に配分された鋭角部２８ａと鈍角部２９ａとを併せ持つ構成の有磁力部材２３ａとすることができる。
このような構成とすると、同一形状品の複数使用で素材の保持ができることになるので、図１１（ａ）のような一対の構成の物より利便性が向上する。
なお、図１１（ｃ）は、３個の有磁力部材２３ａを使い、二つの接触面間に先細とした薄板素材２１ａ、短冊状とした薄板素材２１ｂをそれぞれ保持した状態を示したものであり、保持する素材数が多いほど効率が向上していく。
【実施例４】
【００４３】
図１２は、本発明の実施例４を表わしたものである。
この実施例では、図１２（ａ）の斜視図、並びに、中央拡大断面図の図１２（ｂ）に表わされるように、有磁力部材３３と有磁力部材３４とが接触する側面には、リボン片収容溝３８，３８が形成されていて、この間で形成されるリボン片収納空間３９に、リボン片３２の全幅が収納された状態で、有磁力部材３３と有磁力部材３４とが表示基板３５に磁気吸着されている。
なお、リボン片収納空間３９は、図１２（ｃ）に示す変形例の拡大断面図のように、片方の有磁力部材３３のみリボン片収容溝３８を設けたものを使い、他方の有磁力部材３３’には、溝の無いものを使って形成してもよい。
これらの構成によれば、リボン片３２の幅方向が確実に保持されるので、リボン片の保持できる長さが短い時に、特に価値が生じることになる。
なお、図中３３ｂ，３４ｂは、磁石を示している。
【００４４】
図１３は、本発明の第４の実施例の変形例を表わしたものであり、上述したリボン片収納溝を、リボン片以外の素材であるところの紐状部材や植物・生花・造花の茎等の棒状部材が収納できる大きさの部材収納溝３８ａ及び部材収納空間３９ａを形成している。
即ち、図１３（ａ）は有磁力部材３３ａと有磁力部材３４ａの分解斜視図、図１３（ｂ）は有磁力部材３３ａと有磁力部材３４ａにおける部材収納溝３８ａ，３８ａを使って形成された部材収納空間３９ａに、紐状部材３２ａを挿入した状態で、有磁力部材３３ａと有磁力部材３４ａとが表示基板３５ａに磁気吸着された斜視図を示している。
【００４５】
また、図１３（ｃ）（ｄ）は、紐状部材に換えて造花３２ｂを取り付けた変形例を表わしたものであり、図１３（ｃ）は分解斜視図、図１３（ｄ）は造花３２ｂを取り付けた斜視図を示している。
即ち、有磁力部材３３ａ，３３ａと有磁力部材３４ａ，３４ａとに設けられた夫々の部材収納溝３８ａにて形成された部材収納空間３９ａ，３９ａに、造花３２ｂが挿入されて保持されており、有磁力部材３３ａ，３３ａ，３４ａ，３４ａは、表示基板３５ｂに磁気吸着にて取り付けられている。
なお、この図に表わされるように、有磁力部材３３ｂと有磁力部材３４ｂとは、横方向の配置に限らず、縦方向等任意に配置でき、複数対で使用することもできる。
【実施例５】
【００４６】
図１４は、本発明の実施例５を表わしたものであり、有磁力部材間に保持する素材が、大きな平面積を有する立体物の場合に適する構成となっている。
即ち、図１４（ａ）の分解斜視図、図１４（ｂ）の素材取り付け状態の斜視図、図１４（ｃ）のＪ−Ｋ端面図は、比較的大きな径でなる低い円柱部材４２が、その外周をＶ字状の切り欠き４８，４８を有する有磁力部材４３，４４で保持され、さらに、この有磁力部材４３，４４が表示基板４５に磁気吸着にて取り付けられた状態を示しており、円柱部材４２の外周は４点で確実に保持させることができる。
なお、Ｖ字状の切り欠き４８上端からは露出するが、比較的径の小さい円柱部材４２ａや、角材４２ｂ等の平面部を有する素材については、図１４（ｄ）の変形例に示すように、片方をＶ字状の切り欠き４８を有する有磁力部材４４とし、片方は切り欠きの無い有磁力部材４３’で構成してもよい。
また、図１４（ｅ）に示すように、本実施例においても、リボン片２のみを保持することは当然に可能となっている。
【００４７】
なお、本発明を、磁力を使った装飾という観点で捉えると、上記各実施例以外の装飾も考えられるので、それらも追加していけば、装飾性は、より豊かなものとなる。
例えば、図１５に示すように強磁性体製の表示基板５５に対して、クイリングや曲げ加工を施したリボン片、例えば、前述した図３に示す２ａ，２ｃ，２ｅや、別途作成した花の模造品５２ａや木の葉の模造品５２ｂ等を、それぞれ磁石片５３ｂの磁気吸着力にて直接取り付けることができる。
その場合の磁石片は、５３ｂの丸型、５３ｃの星型、５３ｄの菱形等適宜の形状で実施すれば良い。
【００４８】
本発明は、これまで説明してきた各実施例に限られること無く、各種に変形して実施することができる。
例えば、リボン片の保持は二つの有磁力部材間で行うことを説明してきたが、これに限られることは無い。
一例として、図１６に示す変形例のように、リボン片２の長い距離を保持する時には、表示基盤６５に取り付けられた上段の図のように、短い寸法でなる二つの有磁力部材６４，６４を複数対使用して行っても良いし、中段の図のように片方を長い有磁力部材６４’とし、他方を短い有磁力部材６４として複数個使用して行えば良い。
なお、下段の図に示す有磁力部材７３，７４のように、曲面状のリボン片７２には、それに合うような曲面に形成し、接触させるようにしても良い
また、装飾板に使われるリボン片の数は、この変形例の図に示すまでも無く、一つに限らず複数個使用することができることは言うまでもないことである。
【００４９】
さらに、これまでの各実施例の説明では、強磁性体製の表示基板に対して、少なくとも底面に磁気吸着力を備えた複数の有磁力部材を、磁気吸着にて取り付けることを基本としてきたが、この磁気吸着作用は、表示基板を磁石製とした構成であっても生じさせることができるので、その構成についても、本発明の態様として扱うことができる。
即ち、これらの強磁性体製の表示基板、並びに、少なくとも底面に磁気吸着力を備えた複数の有磁力部材は、それぞれ、磁石製の表示基板、並びに、少なくとも底面が磁気吸着する強磁性体を備えた複数の強磁性体使用部材に置き換えて実施することができる。
【００５０】
また、本発明による各実施例及び変形例で説明したリボン片装飾板は、装飾性を高めるために、額縁内に収容させてもよいので、本発明の第１の実施例のリボン片装飾板を使った一例を図１７及び図１８を使って説明する。
即ち、図１７は本発明の実施例１のリボン片装飾板を額縁に取り付ける前の分解斜視図を示し、図１８は本発明の実施例１のリボン片装飾板を額縁に取り付けた状態を表したものであり、（ａ）は平面図、（ｂ）は断面図、（ｃ）は背面図を示したものである。
【００５１】
額縁７０は、概ね、木製等からなる本体７１、ガラスやアクリル板等の透明板７２、装飾板の位置決めとスペースを確保するための中枠７３、裏板７４、トンボと云われる裏板押え７５，７５，７５，７５、吊り金具７６，７６、並びにこれらの裏板押え７５や吊り金具７６を取り付けるための複数の木ねじ７７，７７．．．とで構成されている。
そして、図１７の分解斜視図のように、額縁７０の裏板７４を外して本発明の実施例１のリボン片装飾板１を裏板７４の前に位置させた後に本体７１内に組み込み、図１８（ｃ）で示すように裏板押え７５，７５，７５，７５を額縁７０の中央方向に回動させると、図１８（ｂ）のようにリボン片装飾板１は、リボン片２、有磁力部材３，４の取り付け状態を維持した状態で額縁７０内に固定される。
また、リボン片装飾板１を収納した額縁７０は、吊り金具７６，７６に図示しない吊り紐を取り付け、通常の方法で、この吊り紐を壁面等にそこに設けられた突起物等に引っかけて掲示されることになる。
【００５２】
なお、額縁はこの例に限らず、額縁の掲示方法を上記の吊り金具を使わないで机上に立て掛けるタイプのものとしたり、枠のみで構成される仮縁を使ったり、適宜のタイプのものを使うことができる。
【００５３】
また、これまで説明した各実施例を簡単に実施できるように、各部材を所定数揃え、各種のリボン片装飾板の作製マニュアルも備えて、リボン片装飾板用キットに仕上げてもよい。
なお、その場合に、リボン片のクイリング加工が簡単にできる各種ツールも備えるようにしてよいことは言うまでもないことである。
【産業上の利用可能性】
【００５４】
本発明は、壁面に飾る小型の装飾板、額縁内に入れる装飾、等々の小型のものから、壁面その物を飾る、等々の大型の装飾まで幅広く利用することができる。
【図面の簡単な説明】
【００５５】
【図１】本発明の実施例１を表わしたものであり、（ａ）は斜視図、（ｂ）は正面図、（ｃ）はＡ−Ｂ断面図を示す。
【図２】本発明に使用するリボン片に関する斜視図を表わしたものであり、（ａ）はテープ部材、（ｂ）はリボン片、（ｃ）は切り欠き等を施したリボン片を示す。
【図３】本発明に使用する加工を加えたリボン片の斜視図を表わしたものであり、（ａ）は両端を軽くカールしたリボン片、（ｂ）は両端を硬く巻き込んだリボン片、（ｃ）略同一径に螺旋状に巻き込んだリボン片、（ｄ）は径が変化する螺旋状に巻き込んだリボン片、（ｅ）は波状に折り曲げ加工したリボン片、（ｆ）は直角的な曲げ加工や折り畳みを施したリボン片を示す。
【図４】本発明の実施例１による一方の有磁力部材を表わしたものであり、（ａ）は正面から見た斜視図、（ｂ）は裏面から見た斜視図、（ｃ）はＣ−Ｄ断面図を示す。
【図５】本発明の実施例１による他方の有磁力部材を表わしたものであり、（ａ）は正面から見た斜視図、（ｂ）は裏面から見た斜視図、（ｃ）はＥ−Ｆ断面図を示す。
【図６】本発明の実施例１におけるリボン片装飾板の作製手順を示した斜視図であり、（ａ）は中間ユニットの分解状態、（ｂ）は中間ユニットを表示基板に取り付ける状態を示す。
【図７】本発明の実施例１におけるリボン片装飾板の装飾物の配置を示した正面図あり、（ａ）は基本状態、（ｂ）は配置を反時計回りに４５度回転した状態、（ｃ）は配置を時計回りに９０度回転した状態、（ｄ）は配置を１８０度回転した状態を示す。
【図８】本発明の実施例２による一方の有磁力部材の斜視図を表わしたものであり、（ａ）正面視、（ｂ）は裏面視を示す。
【図９】本発明の実施例２による他方の有磁力部材の斜視図を表わしたものであり、（ａ）正面視、（ｂ）は裏面視を示す。
【図１０】本発明の実施例２を表わしたものであり、（ａ）は斜視図、（ｂ）はＧ−Ｈ断面図を示す。
【図１１】本発明の実施例３を表わしたものであり、（ａ）は斜視図、（ｂ）は中央断面図、（ｃ）は変形例の斜視図を示す。
【図１２】本発明の実施例４を表わしたものであり、（ａ）は斜視図、（ｂ）は中央拡大断面図、（ｃ）は変形例の拡大断面図を示す。
【図１３】本発明の実施例４の変形例を表わした斜視図であり、（ａ）は有磁力部材同士の分解斜視図、（ｂ）は紐状部材を保持した斜視図、（ｃ）は造花を取り付ける時の分解斜視図、図１３（ｄ）は造花を取り付けた斜視図を示す。
【図１４】本発明の実施例５及びその変形例を表わしたものであり、（ａ）は実施例５の分解斜視図、（ｂ）は実施例５の素材取り付け状態の斜視図、（ｃ）はＪ−Ｋ端面図、（ｄ）は実施例５の変形例の斜視図、（ｅ）はリボン片保持状態の斜視図を示す。
【図１５】他の装飾部材を磁石片で取り付けた状態を示す斜視図である。
【図１６】本発明の変形例を示す斜視図である。
【図１７】本発明の実施例１を額縁に取り付ける前の分解斜視図である。
【図１８】本発明の実施例１を額縁に取り付けた状態を表したものであり、（ａ）は平面図、（ｂ）は断面図、（ｃ）は背面図を示す。
【符号の説明】
【００５６】
１、１１  リボン片装飾板
２、２’、２ａ、２ｂ、２ｃ、２ｄ、２ｅ、２ｆ、１２、３２、７２  リボン片
２ｂａ、２ｂｂ  巻き込み面
３、１３、２３、２３ａ、３３、３３’、３３ａ、４３、４３’、７３  有磁力部材
３ａ、１３ａ  有磁力部材本体
３ｂ、１３ｂ１、１３ｂ２、１３ｂ３、１３ｂ４、１３ｂ５、２３ｂ、３３ｂ  磁石
３ｃ  側面
４、１４、２４、３４、３４ａ、４４、６４、６４’、７４  有磁力部材
４ａ、１４ａ  有磁力部材本体
４ｂ、１４ｂ１、１４ｂ２、１４ｂ３、１４ｂ４、２４ｂ、３４ｂ  磁石
４ｃ  側面
５、１５、２５、３５、３５ａ、３５ｂ、３５ｂ、４５、５５、６５  表示基板
６  テープ部材
７、１７  中間ユニット
８ａ  切り欠き
８ｂ  切り込み
８ｃ  孔
９  折り畳み
２１、２１ａ、２１ｂ  薄板素材
２８、２８ａ  鋭角部
２９、２９ａ  鈍角部
３２ａ  紐状部材
３２ｂ  造花
３８  リボン片収容溝
３８ａ  部材収容溝
３９  リボン片収納空間
３９ａ  部材収納空間
４２  円柱部材
４２ａ  径の小さい円柱部材
４２ｂ  角材
４８  Ｖ字状の切り欠き
５２ａ  花の模造品
５２ｂ  木の葉の模造品
５３ｂ、５３ｃ、５３ｄ  磁石片
７０  額縁
７１  本体
７２  透明板
７３  中枠
７４  裏板
７５  裏板押え（トンボ）
７６  吊り金具
７７  木ねじ
【図１】
2009018574.tif 000003
【図２】
2009018574.tif 000004
【図３】
2009018574.tif 000005
【図４】
2009018574.tif 000006
【図５】
2009018574.tif 000007
【図６】
2009018574.tif 000008
【図７】
2009018574.tif 000009
【図８】
2009018574.tif 000010
【図９】
2009018574.tif 000011
【図１０】
2009018574.tif 000012
【図１１】
2009018574.tif 000013
【図１２】
2009018574.tif 000014
【図１３】
2009018574.tif 000015
【図１４】
2009018574.tif 000016
【図１５】
2009018574.tif 000017
【図１６】
2009018574.tif 000018
【図１７】
2009018574.tif 000019
【図１８】
2009018574.tif 000020